(57)【要約】【課題】原稿搬送経路の内側に配置されたスキャナユニットを正確に位置決めすることが可能な原稿読取装置を提供する。【解決手段】イメージスキャナ装置は、自動原稿搬送装置と、スキャナフレーム１２と、プラテンローラ３８と、位置調節ブラケット７０と、を備えている。自動原稿搬送装置は、湾曲状の原稿搬送経路３０を有する。原稿搬送経路３０の内側に配置されるスキャナフレーム１２は、第２スキャナユニット６０の縮小光学系を構成する部品等を内部に保持する。また、スキャナフレーム１２は、前記第２スキャナユニット６０へ原稿からの画像光を取り入れるための読取ガラス４２を備える。プラテンローラ３８は、読取ガラス４２に対向して原稿搬送経路３０に配置される。位置調節ブラケット７０は、プラテンローラ３８に対するスキャナフレーム１２の相対位置を調節可能である。【選択図】図５
2010041620.tif 000002
【特許請求の範囲】
【請求項１】
湾曲状の原稿搬送経路と、
縮小光学系の読取装置を内部に保持するとともに当該読取装置へ原稿からの画像光を取り入れるための読取部を備え、前記原稿搬送経路の内側に配置されるスキャナフレームと、
前記読取部に対向して前記原稿搬送経路に配置される対向ローラと、
前記対向ローラに対する前記スキャナフレームの相対位置を調節可能な位置調節部と、
を備えることを特徴とする原稿読取装置。
【請求項２】
請求項１に記載の原稿読取装置であって、
前記位置調節部は、前記対向ローラの支持軸に接触する支持軸接触部を備えるとともに、
前記位置調節部は、前記支持軸接触部の前記スキャナフレームに対する相対位置を調節可能であることを特徴とする原稿読取装置。
【請求項３】
請求項２に記載の原稿読取装置であって、
前記位置調節部及び前記スキャナフレームの少なくとも何れか一方は、当該位置調節部と当該スキャナフレームとの相対位置関係を表示するための表示部を備えることを特徴とする原稿読取装置。
【請求項４】
請求項２又は３に記載の原稿読取装置であって、
前記位置調節部又は前記スキャナフレームには長孔が形成されるとともに、
当該位置調節部は、当該スキャナフレームに対して前記長孔を介してネジ止めされていることを特徴とする原稿読取装置。
【請求項５】
湾曲状の原稿搬送経路と、
縮小光学系の読取装置を内部に保持するとともに当該読取装置へ原稿からの画像光を取り入れるための読取部を備え、前記原稿搬送経路の内側に配置されるスキャナフレームと、
前記読取部に対向して前記原稿搬送経路に配置される対向ローラと、
前記対向ローラに対する前記スキャナフレームの相対位置を調節可能な位置調節部と、
を備えることを特徴とする自動原稿搬送装置。
【発明の詳細な説明】
【技術分野】
【０００１】
本発明は、原稿読取装置及び自動原稿搬送装置に関する。詳細には、当該原稿読取装置及び当該自動原稿搬送装置において、原稿搬送経路の内側に配置された読取ユニットと、原稿の搬送方向と、の位置関係を調節するための構成に関する。
【背景技術】
【０００２】
自動原稿搬送装置（オートドキュメントフィーダ、ＡＤＦ）を備えた原稿読取装置が従来から知られている。この種の原稿読取装置においては、画像の読取品質の観点から、原稿搬送方向に対してスキャナユニットの読取ラインを正確に直交させることが好ましい。この点に関し、特許文献１は、ＡＤＦの外部にスキャナユニットがある構成の画像形成装置において、ＡＤＦユニットを位置決めするための構成を開示する。特許文献１は、これによりＡＤＦユニットをスキャナユニットの読取ラインに対し正確に位置決めすることが可能になるとする。
【特許文献１】特開２００８−１０９３６６号公報
【発明の開示】
【発明が解決しようとする課題】
【０００３】
一方、ＡＤＦの原稿搬送経路の内側にスキャナユニットを備えた構成の原稿読取装置も知られている。この構成のスキャナユニットにおいても、スキャナユニットを読取ラインに対して正確に位置決め行うための構成が求められていた。しかし、特許文献１はＡＤＦの外側にスキャナユニットがある構成なので、原稿搬送経路の内側に配置されたスキャナユニットの位置決めには適用できない。
【０００４】
本願発明は以上の事情に鑑みてされたものであり、その主要な目的は、原稿搬送経路の内側に配置されたスキャナユニットを正確に位置決めすることが可能な原稿読取装置を提供することにある。
【課題を解決するための手段及び効果】
【０００５】
本発明の解決しようとする課題は以上の如くであり、次にこの課題を解決するための手段とその効果を説明する。
【０００６】
本発明の観点によれば、以下の構成の原稿読取装置が提供される。即ち、この原稿読取装置は、湾曲状の原稿搬送経路と、スキャナフレームと、対向ローラと、位置調節部と、を備える。前記スキャナフレームは、縮小光学系の読取装置を内部に保持する。また、前記スキャナフレームは、前記読取装置へ原稿からの画像光を取り入れるための読取部を備え、前記原稿搬送経路の内側に配置される。前記対向ローラは、前記読取部に対向して前記原稿搬送経路に配置される。前記位置調節部は、前記対向ローラに対する前記スキャナフレームの相対位置を調節可能である。
【０００７】
即ち、原稿読取装置が備える原稿搬送経路の内側において、読取部に対向する対向ローラに対してスキャナフレームの位置決めを行うことにより、当該対向ローラで搬送される原稿に対して読取部を正確に位置決めすることができる。従って、原稿の読取品質を高めることができる。また、対向ローラに対する読取部の位置が適宜調節可能となるので、装置の組付時或いはメンテナンス時等に位置調節を行い、高い読取品質を常に維持することができる。
【０００８】
前記の原稿読取装置においては、前記位置調節部は、前記対向ローラの支持軸に接触する支持軸接触部を備えるとともに、前記位置調節部は、前記支持軸接触部の前記スキャナフレームに対する相対位置を調節可能であることが好ましい。
【０００９】
これにより、支持軸接触部が対向ローラの支持軸に接触することによりスキャナフレームを位置決めすることができる。また、スキャナフレームに対する支持軸接触部の位置を調節することで、当該スキャナフレームが備える読取部と対向ローラとの位置関係を調節することができる。
【００１０】
前記の原稿読取装置においては、前記位置調節部及び前記スキャナフレームの少なくとも何れか一方は、当該位置調節部と当該スキャナフレームとの相対位置関係を表示するための表示部を備えることが好ましい。
【００１１】
これにより、位置調節部の取付位置を目視によって確認できるので、位置決め作業を容易かつ効率的に行うことができる。
【００１２】
前記の原稿読取装置においては、前記位置調節部又は前記スキャナフレームには長孔が形成されるとともに、当該位置調節部は、当該スキャナフレームに対して前記長孔を介してネジ止めされていることが好ましい。
【００１３】
これにより、ネジを弛めることによって、位置調節部をスキャナフレームに対して長孔の範囲内で移動させることができる。従って、位置調節部による読取部の位置調節機能を簡単な構成で実現することができる。
【００１４】
本発明の別の観点によれば、以下の構成の自動原稿搬送装置が提供される。即ち、この自動原稿搬送装置は、湾曲状の原稿搬送経路と、スキャナフレームと、対向ローラと、位置調節部と、を備える。前記スキャナフレームは、縮小光学系の読取装置を内部に保持する。また、前記スキャナフレームは、前記読取装置へ原稿からの画像光を取り入れるための読取部を備え、前記原稿搬送経路の内側に配置される。前記対向ローラは、前記読取部に対向して前記原稿搬送経路に配置される。前記位置調節部は、前記対向ローラに対する前記スキャナフレームの相対位置を調節可能である。
【００１５】
即ち、自動原稿搬送装置が備える原稿搬送経路の内側において、読取部に対向する対向ローラに対してスキャナフレームの位置決めを行うことにより、当該対向ローラで搬送される原稿に対して読取部を正確に位置決めすることができる。従って、原稿の読取品質を高めることができる。また、対向ローラに対する読取部の位置が適宜調節可能となるので、装置の組付時或いはメンテナンス時等に位置調節を行い、高い読取品質を常に維持することができる。
【発明を実施するための最良の形態】
【００１６】
以下、本発明の好適な実施形態について図面を参照しながら説明する。図１は本発明の一実施形態に係る自動原稿搬送装置を備えた原稿読取装置としてのイメージスキャナ装置１０を含む、コピーファクシミリ複合機（複合機）２０の外観斜視図である。図２は、本実施形態の自動原稿搬送装置２５及びイメージスキャナ装置１０の構成を示した正面断面図である。
【００１７】
図１に示すコピーファクシミリ複合機２０は、ブックスキャナ及びオートドキュメントフィードスキャナとして機能するイメージスキャナ装置１０を、当該複合機２０の上部に備えている。また、複合機２０は、コピー部数、ファクシミリ送信先及び原稿読取等を指示するための操作パネル７７を備える。
【００１８】
更に、複合機２０は、記録媒体としての用紙に画像を形成する画像形成部等を内蔵した本体７８と、前記用紙を順次供給する給紙カセット７９と、を備えている。この本体７８は、通信回線を介して画像データを伝送するための図略の送受信部等を備える。
【００１９】
次に図２を参照して、前記複合機２０が備えるイメージスキャナ装置１０について説明する。図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための第１スキャナユニット５０及び第２スキャナユニット６０を備えている。
【００２０】
このイメージスキャナ装置１０をオートドキュメントフィードスキャナとして使用する場合は、前記ＡＤＦ２５によって原稿を１枚ずつ搬送する。そして、原稿の表側の面（第１面）の画像は第１スキャナユニット５０によって読み取られ、原稿の裏側の面（第２面）の画像は第２スキャナユニット６０によって読み取られる。
【００２１】
一方、イメージスキャナ装置１０をブックスキャナとして使用する場合は、読み取るべきブック原稿をユーザがプラテンガラス２２上に載置して、その上から原稿台カバー２１によって押圧して、ブック原稿が動かないように固定する。この状態で、第１スキャナユニット５０によって原稿の画像を読み取ることができるようになっている。
【００２２】
図２に示すように、本発明の一実施形態に係る自動原稿搬送装置（ＡＤＦ）２５はユニット状に構成され、プラテンガラス２２の上方に配置されている。ＡＤＦ２５は、原稿台カバー２１の上部に設けられた原稿トレイ２３と、この原稿トレイ２３の下方に設けられた排出トレイ２４と、を備える。また、ＡＤＦ２５は、ＡＤＦ本体部１６と、その上側を覆うカバー部１１とを備えている。このカバー部１１は、図３の正面断面図に示すようにカバー回動軸４３を中心にして上方に回動可能であり、前記カバー回動軸４３を介してＡＤＦ本体部１６に支持されている。
【００２３】
図２に示すように、前記ＡＤＦ２５の内部には、原稿トレイ２３と排出トレイ２４とを繋ぐ湾曲状（Ｕ字状）の原稿搬送経路３０が構成されている。この構成で、原稿トレイ２３に重ねてセットされた原稿は、１枚ずつ分離されて前記原稿搬送経路３０に沿って搬送され、排出トレイ２４へ排出される。原稿の読取開始等の指示は、図１に示す操作パネル７７によって行うことができる。
【００２４】
次に、原稿搬送経路３０に沿って、ＡＤＦ２５の各部の構成を詳細に説明する。
【００２５】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。
【００２６】
この構成で、ピックアップローラ３１が駆動されることによって、原稿トレイ２３上の最上層の原稿がＡＤＦ２５内に繰り込まれる。原稿はピックアップローラ３１の駆動によって分離ローラ３２へ送られ、当該分離ローラ３２と対向ローラ３７との間にニップされる。そして原稿は、回転駆動する分離ローラ３２と対向ローラ３７とによって１枚ずつ分離され、原稿搬送経路３０の下流側へ搬送される。
【００２７】
分離ローラ３２の下流側には、レジストローラ３９と、このレジストローラ３９と対になる対向ローラと、が配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００２８】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００２９】
２つの搬送ローラ３４，３５の間には第１原稿読取位置８０が設定されており、この第１原稿読取位置８０にはプラテンローラ２９が配置されている。そして、この第１原稿読取位置８０を通過する原稿は、後述の第１スキャナユニット５０によって走査され、読み取られる。
【００３０】
第１スキャナユニット５０について説明する。この第１スキャナユニット５０は本体７８側に設置されるとともに、ＡＤＦ２５及びプラテンガラス２２の下方に配置されている。また、この第１スキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００３１】
第１スキャナユニット５０の光源５１及び反射ミラー５２等は移動可能に構成されている。前述したようにイメージスキャナ装置１０をブックスキャナとして使用する場合は、第１スキャナユニット５０の光源５１及び反射ミラー５２等をプラテンガラス２２に沿って移動させる。これによって、プラテンガラス２２上に載置された原稿を読み取ることができるようになっている。
【００３２】
一方、イメージスキャナ装置１０をオートドキュメントフィードスキャナとして使用する場合は、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、第１スキャナユニット５０が走査して読み取ることができる。
【００３３】
第１スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００３４】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００３５】
第２スキャナユニット（読取ユニット）６０について説明する。この第２スキャナユニット６０は、Ｕ字状に構成された前記原稿搬送経路３０に内側から接するように、当該原稿搬送経路３０の内側に設置されている。また、第２スキャナユニット６０は、ＡＤＦ２５の内部に保持されるスキャナフレーム１２を備えている。このスキャナフレーム１２は、第２スキャナユニット６０の光学系を構成する部品等（縮小光学系の読取装置）を支持するとともに、その外側を覆って保護するように構成されている。
【００３６】
スキャナフレーム１２の底部（原稿搬送経路３０に接する部分）には、原稿の裏面を読み取るための読取ガラス（読取部）４２が備えられる。この読取ガラス４２は、前記第２原稿読取位置９０に対応する位置に配置される。
【００３７】
また、スキャナフレーム１２の底部に対向するように、プラテンローラ（対向ローラ）３８がＡＤＦ２５本体部分に配置されている。このプラテンローラ３８は、前記読取ガラス４２に対向し、当該読取ガラス４２に対して僅かに隙間を開けて配置される。プラテンローラ３８は、ＡＤＦ本体部１６に回転可能に支持された支持軸４７に固定されている。この支持軸４７に図略のモータからの駆動力が伝達されることにより、当該支持軸４７によって支持されているプラテンローラ３８が回転し、原稿を搬送することができる。
【００３８】
このプラテンローラ３８は、読取ガラス４２の長手方向（図２の紙面奥行方向）の全長にわたって形成されている。これにより、搬送されてきた原稿が第２原稿読取位置９０で上下にバタつくことを抑えるとともに、読取ガラス４２に対して傾かないように原稿を搬送することができる。
【００３９】
以上の構成で、前記搬送ローラ３５により搬送された原稿がプラテンローラ３８の部分に差し掛かると、当該原稿はプラテンローラ３８により搬送されながらその裏側の面が走査されて読み取られる。
【００４０】
次にスキャナフレーム１２について説明する。前述したように、スキャナフレーム１２はＡＤＦ２５内に保持されている。また、スキャナフレーム１２の底部であって読取ガラス４２の下流側には接触ローラ４０が配置されている。この接触ローラ４０はローラ軸４６に回転可能に支持されており、前記排出ローラ３６に対向するようにして配置されている。この構成で、第２スキャナユニット６０で読み取られた原稿は、前記接触ローラ４０と排出ローラ３６との間でニップされ、排出ローラ３６の駆動によって排出トレイ２４へ導かれる。
【００４１】
また、第２スキャナユニット６０が備えるスキャナフレーム１２には、湾曲状の原稿搬送経路３０の一部を構成するとともに原稿の向きを案内するインナーガイド１９が取り付けられている。このインナーガイド１９は、原稿搬送経路３０においてピックアップローラ３１からレジストローラ３９までの範囲に配置される。インナーガイド１９は、ピックアップローラ３１及び分離ローラ３２の下方に配置されるとともに、レジストローラ３９の支軸４１に支持されている。
【００４２】
次に、第２スキャナユニット６０において構成される縮小光学系について説明する。図２に示すように、第２スキャナユニット６０は、光源６１と、反射ミラー６２，６３，６４，６５と、集光レンズ６７と、イメージセンサとしての電荷結合素子（ＣＣＤ）５７と、を備えている。これらの部品は、何れもスキャナフレーム１２の内部に配置されている。
【００４３】
光源６１は読取ガラス４２を臨むように配置されており、当該読取ガラス４２を介して第２原稿読取位置９０に光を照射することができる。反射ミラー６２，６３，６４，６５は、原稿からの反射光を更に複数回折り返すように反射させ、集光レンズ６７に導くように構成されている。集光レンズ６７は光を収束させてＣＣＤ５７の部分に結像させ、ＣＣＤ５７は、第１スキャナユニット５０におけるＣＣＤ５６と同様に、原稿の画像情報に応じた電気信号を出力する。この信号も適宜変換処理され、複合機２０が備える画像形成部に送信される。
【００４４】
以上のようにして２つの原稿読取位置で表裏両面の内容を読み取られた原稿は、排出ローラ３６と接触ローラ４０によってニップされることにより搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４５】
次に、図４等を参照して、スキャナフレーム１２及びインナーガイド１９の構成について更に詳細に説明する。図４はスキャナフレーム１２及びインナーガイド１９を斜め下方から見た様子を概略的に示した外観斜視図である。
【００４６】
前述したように、スキャナフレーム１２にはインナーガイド１９が取り付けられている。図４に示すように、前記インナーガイド１９は、前記スキャナフレーム１２の上側を広範囲にわたって覆うようにカバー状に構成されている。
【００４７】
そして、このインナーガイド１９に第２スキャナユニット６０のスキャナフレーム１２を取り付けることで、スキャナフレーム１２がインナーガイド１９とともに前記支軸４１を中心にして回動できるようになっている。即ち、原稿が詰まった時などにおいては、第２スキャナユニット６０を上方に回動して原稿搬送経路３０を開放することにより、原稿を取り除くことができるように構成されている。これによりメンテナンス性が良好になっている。
【００４８】
以下、具体的に説明する。即ち、前記スキャナフレーム１２は、通常の状態では図２に示すように原稿搬送経路３０の内側に位置しており、ほぼ水平姿勢となっている。なお、ここでいう「水平姿勢」とは、ＡＤＦ２５（イメージスキャナ装置１０）の設置面に平行な姿勢を意味する。即ち、この図２の状態において、原稿トレイ２３から供給される原稿の搬送を、スキャナフレーム１２に取り付けられたインナーガイド１９の上面によって適切にガイドすることができるように配置されている。この状態では、前記読取ガラス４２のガラス面（読取面）は直下方を向いており、また、前記接触ローラ４０は排出ローラ３６との間で原稿を押圧可能な状態である。
【００４９】
そして、第２スキャナユニット６０のメンテナンス等を行う際には、最初に、ＡＤＦ２５のカバー部１１を持ち上げるように上方向に回動させて、図３に示すようにカバー部１１を開いた状態とする。これにより、レジストローラ３９及び分離ローラ３２のニップが解除されるとともに、原稿搬送経路３０の上流側半部が開放される。
【００５０】
次に、スキャナフレーム１２を持ち上げることで、図２の位置（閉じ位置）から前記支軸４１を中心に回動させて上方向に引き出し、図３に示す位置（開き位置）まで移動させる。この回動に伴って、前記接触ローラ４０は排出ローラ３６との接触を解除し、前記原稿搬送経路３０から離間する。このようにスキャナフレーム１２を開き位置まで回動させることで、図３に示すようにスキャナフレーム１２の底面側を露出させ、また、原稿搬送経路３０の下流側の大部分を開放させることができる。
【００５１】
更に、図４には、位置調節ブラケット（位置調節部）７０をスキャナフレーム１２に対して取り付けるための構成が分解組立図の形で図示してある。図に示すように、この位置調節ブラケット７０は、支持軸接触部７１と長孔７３とが形成された板状の部材として構成されている。また、スキャナフレーム１２の装置正面側であって前記長孔７３と対応する位置にはネジ孔７５が形成されている。そして、長孔７３を介してネジ孔７５にネジ７４を螺入することにより、位置調節ブラケット７０をスキャナフレーム１２に固定することが可能である。
【００５２】
スキャナフレーム１２に取り付けられた位置調節ブラケット７０の様子を、図５の部分正面断面図に示す。図５に示すように、支持軸接触部７１は、位置調節ブラケット７０の一部を円弧状に切り欠いた形状に形成されている。そして、スキャナフレーム１２を閉じ位置まで回動させたときに、図５に示すように前記支持軸接触部７１がプラテンローラ３８の軸（支持軸）４７に対して図面上側から接触することができるように構成されている。
【００５３】
また、図４に示すように、位置調節ブラケット７０の取付位置の反対側（スキャナフレーム１２の装置背面側）には、位置決め部５９がスキャナフレーム１２と一体形成されている。この位置決め部５９は、前記位置調節ブラケット７０の支持軸接触部７１と同様に、スキャナフレーム１２を閉じ位置まで回動させたときに、プラテンローラ３８の支持軸４７に接触することでスキャナフレーム１２の位置決めが可能に構成されている。
【００５４】
以上の構成で、スキャナフレーム１２を閉じ位置まで回動させたときに、支持軸接触部７１及び位置決め部５９がプラテンローラ３８の支持軸４７に接触する。これにより、読取ガラス４２をプラテンローラ３８に対して適切に位置決めすることができる。また、図４に示すように、位置調節ブラケット７０及び位置決め部５９は、読取ガラス４２の長手方向の両端部近傍に配置又は形成されている。これにより、プラテンローラ３８に対して読取ガラス４２を精度良く位置決めすることができる。
【００５５】
次に、位置調節ブラケット７０を用いたスキャナフレーム１２の位置調節方法について説明する。本実施形態のように縮小光学系のスキャナユニット（第２スキャナユニット６０）においては、組付時或いはメンテナンス時に、光軸を調節するためにスキャナユニット内の光学部品を調節することがある。スキャナユニット内の光軸の調節は手作業で行われるため、読取ラインが原稿搬送方向との関係において適切な位置から外れ、ズレが発生する場合がある。また、構成部品の初期歪み或いは組付誤差等によっても、上記ズレが発生する。この点、本実施形態の複合機２０においては、以下のようにして読取ラインのズレを適宜微調整することが可能な構成としている。
【００５６】
前記位置調節ブラケット７０に形成された長孔７３は、図５に示すようにプラテンローラ３８近傍における原稿搬送経路３０と平行な方向に形成されている。この構成で、ネジ７４を弛めることにより、位置調節ブラケット７０のスキャナフレーム１２に対する相対位置を、搬送方向と平行な方向で調節可能である。
【００５７】
また、図４及び図５に示すように、位置調節ブラケット７０は装置正面側に配置されている。これにより、サービスマン等のメンテナンス作業者が位置調節ブラケット７０の位置を調節する作業を容易に行うことができる。また、スキャナフレーム１２を開き位置に回動させたときに、ＡＤＦ本体部１６からネジ７４が露出するように構成されている。これにより、位置調節ブラケット７０の位置を調節する作業を更に容易に行うことができる。
【００５８】
一方、位置決め部５９は、スキャナフレーム１２と一体形成されているため、位置調節ブラケット７０のような位置の調節は行わない。即ち、スキャナフレーム１２の装置背面側は調節作業を行いにくいので、背面側の位置決め部５９は固定とし、当該背面側を基準として手前（装置正面側）の位置調節ブラケット７０だけでスキャナフレーム１２の位置決めを行うように構成されている。
【００５９】
以上の構成で、位置調節ブラケット７０のスキャナフレーム１２に対する取付位置を長孔７３の範囲で調節することにより、プラテンローラ３８の支持軸４７に対するスキャナフレーム１２の傾きを調整できる。即ち、原稿はプラテンローラ３８によって軸４７と直交する方向に搬送されるので、プラテンローラ３８に対する傾きを変更することにより、搬送される原稿に対する読取ラインの傾きを調節することができる。
【００６０】
また、図４及び５に示すように、位置調節ブラケット７０には目盛７２が形成されている。また、スキャナフレーム１２の前記目盛７２に対応する位置には位置決めマーク７６が形成されている。これにより、例えば、目盛７２の中央の目盛と位置決めマーク７６に合わせて位置調節ブラケット７０の初期位置とすることで、当該位置調節ブラケット７０の図面左右方向の移動量を目視で定量的に確認することができる。従って、目盛７２と位置決めマーク７６は、位置調節ブラケット７０とスキャナフレーム１２との相対位置関係を表示する表示部であるということができる。
【００６１】
以上で説明したように、本実施形態のイメージスキャナ装置１０は、自動原稿搬送装置２５を備えている。そして、この自動原稿搬送装置２５は、湾曲状の原稿搬送経路３０と、スキャナフレーム１２と、プラテンローラ３８と、位置調節ブラケット７０と、を備えている。スキャナフレーム１２は、第２スキャナユニット６０の縮小光学系を構成している部品等を内部に保持する。また、スキャナフレーム１２は、前記第２スキャナユニット６０へ原稿からの画像光を取り入れるための読取ガラス４２を備え、原稿搬送経路３０の内側に配置される。プラテンローラ３８は、読取ガラス４２に対向して原稿搬送経路３０に配置される。位置調節ブラケット７０は、プラテンローラ３８に対するスキャナフレーム１２の相対位置を調節可能である。
【００６２】
即ち、原稿搬送経路３０の内側において、読取ガラス４２に対向するプラテンローラ３８に対してスキャナフレーム１２の位置決めを行うことにより、当該プラテンローラ３８で搬送される原稿に対して読取ガラス４２を正確に位置決めできる。従って、原稿の読取品質を高めることができる。また、プラテンローラ３８に対する読取ガラス４２の位置が適宜調節可能となるので、装置の組付時或いはメンテナンス時等に位置調節を行い、高い読取品質を常に維持することができる。
【００６３】
また、本実施形態のイメージスキャナ装置１０においては、位置調節ブラケット７０は、プラテンローラ３８の支持軸４７に接触する支持軸接触部７１を備えている。また、位置調節ブラケット７０は、スキャナフレーム１２に対する相対位置を調節可能である。
【００６４】
これにより、支持軸接触部７１がプラテンローラ３８の支持軸４７に接触することによりスキャナフレーム１２を位置決めすることができる。また、スキャナフレーム１２に対する位置調節ブラケット７０の取付位置を調節することで、当該スキャナフレーム１２が備える読取ガラス４２とプラテンローラ３８との位置関係を調節することができる。
【００６５】
また、本実施形態のイメージスキャナ装置１０においては、位置調節ブラケット７０及びスキャナフレーム１２は、当該位置調節ブラケット７０と当該スキャナフレーム１２との相対位置関係を表示するための目盛７２又は位置決めマーク７６を備えている。
【００６６】
これにより、位置調節ブラケット７０の取付位置を目視によって確認できるので、位置決め作業を容易かつ効率的に行うことができる。
【００６７】
また、本実施形態のイメージスキャナ装置１０においては、位置調節ブラケット７０には長孔７３が形成されるとともに、当該位置調節ブラケット７０は、スキャナフレーム１２に対して長孔７３を介してネジ止めされている。
【００６８】
これにより、ネジ７４を弛めることによって、位置調節ブラケット７０をスキャナフレーム１２に対して長孔７３の範囲内で移動させることができる。従って、位置調節ブラケット７０による読取ガラス４２の位置調節機能を簡単な構成で実現することができる。
【００６９】
以上に本発明の好適な実施の形態について説明したが、上記の構成は例えば以下のように変更することができる。
【００７０】
上記実施形態では位置調節ブラケット７０をスキャナフレーム１２に対して直接ネジ止めする構成としたが、この構成に限らず、間接的に取り付けても良い。例えば、スキャナフレーム１２に板金からなる取付用ブラケットを固定し、当該取付用ブラケットに対して位置調節ブラケット７０を固定する構成に変更できる。この場合、上記実施形態でスキャナフレーム１２に形成されていた位置決めマーク７６を、上記取付用ブラケット側に形成しても良い。
【００７１】
上記実施形態では装置背面側は固定（位置決め部５９）としたが、この構成に代えて、装置背面側に位置調節ブラケット７０を配置しても良いし、装置正面側と背面側の両方に配置しても良い。但し、位置調節時の作業性を考慮すれば、上記のように位置調節ブラケット７０を装置正面側に配置することが好ましい。
【００７２】
目盛７２及び位置決めマーク７６は上記の構成に限られず、スキャナフレーム１２と位置調節ブラケット７０との相対位置が目視で確認できるものであればどのような構成でも良い。例えば目盛をスキャナフレーム１２側に形成し、位置決めマーク７６を位置調節ブラケット側に形成しても良い。また例えば、長孔７３の長手方向の縁に目盛を形成し、ネジ７４と前記目盛との関係を見ることで、スキャナフレーム１２と位置調節ブラケット７０との相対位置が目視できるようにしても良い（この場合はスキャナフレーム側に位置決めマークを形成しなくても良い）。
【００７３】
上記実施形態では、平板状に形成された位置調節ブラケット７０をスキャナフレーム１２の正面に固定する構成としたが、これに限られない。例えば、位置調節ブラケットをＬ字状に折り曲げられた板状部材とし、前記Ｌ字の一辺側に支持軸接触部を、他辺側に長孔を形成する。そして、スキャナフレーム１２の底面に当該Ｌ字状の位置調節ブラケットを固定するような構成に変更することができる。
【００７４】
長孔７３を形成する位置及び数が任意であることは言うまでもない。また、長孔７３はスキャナフレーム１２側に形成しても良い。
【００７５】
前記コピーファクシミリ複合機２０に代えて、例えば、コピー機、ファクシミリ装置等にも、本発明のイメージスキャナ装置１０を適用することができる。
【００７６】
また、上記実施形態ではイメージスキャナ装置１０は複合機２０の一部として備えられているが、この構成に代えて、単体のイメージスキャナ装置として構成することができる。
【図面の簡単な説明】
【００７７】
【図１】本発明の一実施形態に係る自動原稿搬送装置とイメージスキャナ装置を含むコピーファクシミリ複合機の様子を示した外観斜視図。
【図２】本実施形態の自動原稿搬送装置とイメージスキャナ装置の構成を示した正面断面図。
【図３】スキャナフレーム及びインナーガイドを回動させたときの様子を示した正面断面図。
【図４】スキャナフレーム、インナーガイド、及び位置調節ブラケットの様子を示した外観斜視図。
【図５】スキャナフレームに取り付けられた位置調節ブラケットの様子を示す正面部分断面図。
【符号の説明】
【００７８】
１０  イメージスキャナ装置（原稿読取装置）
１２  スキャナフレーム
２５  自動原稿搬送装置
３０  原稿搬送経路
３８  プラテンローラ（対向ローラ）
４２  読取ガラス（読取部）
４７  支持軸
６０  第２スキャナユニット
７０  位置調節ブラケット（位置調節部）
７１  支持軸接触部
７２  目盛（表示部）
７３  長孔
７４  ネジ
７６  位置決めマーク（表示部）
【図１】
2010041620.tif 000003
【図２】
2010041620.tif 000004
【図３】
2010041620.tif 000005
【図４】
2010041620.tif 000006
【図５】
2010041620.tif 000007